(57)【要約】【課題】複数の操作をすることなく、留守換気運転モードを選択することにより留守中の換気運転を簡単に設定できる操作性の良好な空気調和機を提供する。【解決手段】  換気ファン４により換気運転を行う空気調和機において、リモートコントローラ２の操作部に対する１つの操作により、留守換気運転モードの設定と切タイマ１bの計時時間の設定を指令する指令信号をリモートコントローラ２から出力する。上記リモートコントローラ２からの指令信号を受けた制御装置１は、留守換気運転モードに運転モードを設定し、切タイマ１bに計時時間を設定して、換気ファン用モータ３を制御することにより換気ファン４による換気運転を開始すると共に、切タイマ１bの計時を開始する。【選択図】図１
2005061665.tif 000002
【特許請求の範囲】
【請求項１】
少なくとも換気ファン(４)により換気運転を行う空気調和機であって、
上記換気ファン(４)を駆動する換気ファン用モータ(３)と、
上記換気ファン用モータ(３)を制御すると共に、上記換気ファン(４)による換気運転を設定された計時時間後に終了させるための切タイマ(１b)を有する制御装置(１)と、
１つの操作により、留守換気運転モードを選択する選択手段とを備え、
上記選択手段に対する１つの操作により上記留守換気運転モードが選択されると、上記制御装置(１)は、上記換気ファン用モータ(３)を制御することにより上記換気ファン(４)による換気運転を開始すると共に、上記切タイマ(１b)の計時を開始することを特徴とする空気調和機。
【請求項２】
請求項１に記載の空気調和機において、
上記選択手段は、操作部に対する１つの操作により、上記留守換気運転モードの設定と上記切タイマ(１b)の計時時間の設定を指令する指令信号を出力するリモートコントローラ(２)であり、
上記リモートコントローラ(２)からの上記指令信号を受けた上記制御装置(１)は、上記留守換気運転モードに運転モードを設定し、上記切タイマ(１b)に計時時間を設定して、上記換気ファン(４)による換気運転および上記切タイマ(１b)の計時を開始することを特徴とする空気調和機。
【請求項３】
請求項１または２に記載の空気調和機において、
上記留守換気運転モードのときに、上記換気ファン(４)の風量を通常の換気運転よりも多くすることを特徴とする空気調和機。
【請求項４】
請求項１乃至３のいずれか１つに記載の空気調和機において、
上記留守換気運転モードによる換気運転を開始した後に上記切タイマ(１b)の計時が終了すると、上記制御装置(１)は、換気運転を終了して上記留守換気運転モードの設定を解除し、上記留守換気運転モードによる換気運転の前の運転モードまたは自動運転モードに設定することを特徴とする空気調和機。
【請求項５】
請求項１乃至４のいずれか１つに記載の空気調和機において、
上記選択手段に対して操作する毎に、上記留守換気運転モードと他の運転モードを巡回させながら順次表示する表示部(２１)を備え、
上記選択手段に対する１回目の操作により上記留守換気運転モードを上記表示部(２１)に表示させることで上記留守換気運転モードが選択されることを特徴とする空気調和機。
【請求項６】
請求項１乃至５のいずれか１つに記載の空気調和機において、
上記制御装置(１)は、上記切タイマ(１b)の計時時間の設定を変更する切タイマ設定変更手段(１c)を有し、
上記切タイマ設定変更手段(１c)により変更された上記切タイマ(１b)の計時時間は、次回の上記留守換気運転モードが選択されたときの上記切タイマ(１b)の計時時間となることを特徴とする空気調和機。
【発明の詳細な説明】
【技術分野】
【０００１】
この発明は、換気機能を有する空気調和機に関する。
【背景技術】
【０００２】
従来、空気調和機としては、換気用送風手段が組み込まれた室外機とその室外機にダクトを介して接続された室内機とを備え、換気用送風手段によって室内の空気を室内機とダクトを介して室外に排出して換気を行うものがある(例えば、特開２０００−２０５５９３号公報(特許文献１)参照)。このような換気を行う空気調和機の一般的な換気運転処理を説明するためのフローチャートを図７に示している。
【０００３】
図７に示す換気運転処理では、まず、ステップＳ１１で換気のボタンを押したか否かを判断して、換気のボタンを押したと判断すると、ステップＳ１２に進む一方、換気のボタンを押していないと判断すると、このステップＳ１１を繰り返す。
【０００４】
次に、ステップＳ１２では、換気運転モードを行う。
【０００５】
そして、ステップＳ１３に進み、切タイマのボタンを押したか否かを判断して、切タイマのボタンを押したと判断すると、ステップＳ１４に進む一方、切タイマのボタンを押していないと判断すると、ステップＳ１４をスキップする。
【０００６】
次に、ステップＳ１４では、切タイマの設定変更を行う。
【０００７】
次に、ステップＳ１５に進み、切タイマの計時終了か否かを判断して、切タイマが計時終了していると判断すると、ステップＳ１６に進み一方、切タイマが計時終了していないと判断すると、ステップＳ１３に戻り、ステップＳ１３〜Ｓ１５を繰り返す。
【０００８】
そして、ステップＳ１６で運転を停止して、ステップＳ１１に戻る。
【０００９】
このように、上記空気調和機では、換気ボタンの操作と切タイマの設定操作を行うことによって、換気運転が所定時間行われる。
【００１０】
しかしながら、上記空気調和機では、外出などの不在時にハウスキープの目的で一定時間だけ換気をしたいときは、換気設定の操作と切タイマの設定操作の両方が必要なために操作性が悪いという欠点がある。また、上記空気調和機では、換気運転が所定時間行われて停止した状態では、運転モードの設定が換気運転に設定されたまま維持されるため、次に運転開始したときに、運転モードの設定が換気運転となったまま運転開始することになり、使用者が通常希望する冷房運転または暖房運転とは違うため、運転モードの設定を変更しなければならないという煩わしさがある。
【特許文献１】特開２０００−２０５５９３号公報
【発明の開示】
【発明が解決しようとする課題】
【００１１】
そこで、この発明の目的は、複数の操作をすることなく、留守換気運転モードを選択することにより留守中の換気運転を簡単に設定できる操作性の良好な空気調和機を提供することにある。
【課題を解決するための手段】
【００１２】
上記目的を達成するため、この発明の空気調和機は、少なくとも換気ファンにより換気運転を行う空気調和機であって、上記換気ファンを駆動する換気ファン用モータと、上記換気ファン用モータを制御すると共に、上記換気ファンによる換気運転を設定された計時時間後に終了させるための切タイマを有する制御装置と、１つの操作により、留守換気運転モードを選択する選択手段とを備え、上記選択手段に対する１つの操作により上記留守換気運転モードが選択されると、上記制御装置は、上記換気ファン用モータを制御することにより上記換気ファンによる換気運転を開始すると共に、上記切タイマの計時を開始することを特徴とする。
【００１３】
上記構成の空気調和機によれば、上記選択手段に対する１つの操作により、留守換気運転モードを設定すると、上記制御装置は、留守換気運転モードにより換気ファン用モータを制御することにより換気ファンによる換気運転を開始すると共に切タイマの計時を開始する。そうして、次に切タイマが計時を終了すると、換気ファン用モータを停止して、換気運転を止める。したがって、複数の操作をすることなく、留守換気運転モードを選択することにより留守中の換気運転を簡単に設定できる。
【００１４】
また、一実施形態の空気調和機は、上記選択手段は、操作部に対する１つの操作により、上記留守換気運転モードの設定と上記切タイマの計時時間の設定を指令する指令信号を出力するリモートコントローラであり、上記リモートコントローラからの上記指令信号を受けた上記制御装置は、上記留守換気運転モードに運転モードを設定し、上記切タイマに計時時間を設定して、上記換気ファンによる換気運転および上記切タイマの計時を開始することを特徴とする。
【００１５】
上記実施形態の空気調和機によれば、手元のリモートコントローラの操作部に対する１つの操作により、留守換気運転モードを選択できるので、必要なときにすぐに換気運転を行うことができる。
【００１６】
また、一実施形態の空気調和機は、上記留守換気運転モードのときに、上記換気ファンの風量を通常の換気運転よりも多くすることを特徴とする。
【００１７】
上記実施形態の空気調和機によれば、換気音を気にする必要のない不在時に行う留守換気運転モードでは、大きな換気量を設定することが可能であり、換気ファンの風量を在室中に行う換気運転よりも多くすることによって、効果的な換気ができる。
【００１８】
また、一実施形態の空気調和機は、上記留守換気運転モードによる換気運転を開始した後に上記切タイマの計時が終了すると、上記制御装置は、換気運転を終了して上記留守換気運転モードの設定を解除し、上記留守換気運転モードによる換気運転の前の運転モードまたは自動運転モードに設定することを特徴とする。
【００１９】
上記実施形態の空気調和機によれば、上記切タイマの計時が終了すると、制御装置は、留守換気運転モードによる換気運転を終了して留守換気運転モードの設定を解除し、上記留守換気運転モードによる換気運転の前の運転モードまたは自動運転モードに設定することによって、次に運転開始したときに使用者が帰宅したときに通常希望する運転モード(留守換気運転モードによる換気運転の前の運転モードまたは自動運転モード)で運転を再開するので、操作性をより一層向上できる。
【００２０】
また、一実施形態の空気調和機は、上記選択手段に対して操作する毎に、上記留守換気運転モードと他の運転モードを巡回させながら順次表示する表示部を備え、上記選択手段に対する１回目の操作により上記留守換気運転モードを上記表示部に表示させることで上記留守換気運転モードが選択されることを特徴とする。
【００２１】
上記実施形態の空気調和機によれば、上記選択手段を操作する毎に上記留守換気運転モードと他の運転モードが巡回しながら表示部に順次表示されて、上記選択手段に対する１回目の操作により留守換気運転モードを表示部に表示させることで留守換気運転モードが選択されるので、留守中の換気運転の設定が簡単に行える上に、留守換気運転モードとそれ以外の複数の運転モードを１つの操作部の例えば押ボタンにより選択することができ、選択手段の操作ボタン数を削減できる。
【００２２】
また、一実施形態の空気調和機は、上記制御装置は、上記切タイマの計時時間の設定を変更する切タイマ設定変更手段を有し、上記切タイマ設定変更手段により変更された上記切タイマの計時時間は、次回の上記留守換気運転モードが選択されたときの上記切タイマの計時時間となることを特徴とする。
【００２３】
上記実施形態の空気調和機によれば、上記切タイマ設定変更手段により切タイマの計時時間が変更された後、上記留守換気運転モードによる換気運転が終了すると、次回の上記留守換気運転モードが選択されたときの切タイマの計時時間が前回変更された計時時間となることによって、使用者が通常希望する前の条件で留守換気運転モードが選択されるので、操作性がさらに向上する。
【発明の効果】
【００２４】
以上より明らかなように、この発明の空気調和機によれば、複数の操作をすることなく、留守換気運転モードを選択することにより留守中の換気運転を簡単に設定できる操作性の良好な空気調和機を実現することができる。
【００２５】
また、一実施形態の空気調和機によれば、上記選択手段にリモートコントローラを用いることによって、手元のリモートコントローラの操作部に対する１つの操作により、留守換気運転モードを選択できるので、必要なときにすぐに換気運転を行うことができる。
【００２６】
また、一実施形態の空気調和機によれば、換気音を気にする必要のない不在時の留守換気運転モードでは、大きな換気量で換気運転することで効果的な換気を行うことができる。
【００２７】
また、一実施形態の空気調和機によれば、上記留守換気運転モードによる換気運転を終了して留守換気運転モードの設定を解除し、その換気運転の前の運転モード(または自動運転モード)に設定することによって、次に運転開始したときに使用者が帰宅時に通常希望する運転モードで運転を再開するができ、操作性をより一層向上できる。
【００２８】
また、一実施形態の空気調和機によれば、上記選択手段を操作する毎に留守換気運転モードと他の運転モードが巡回しながら表示部に順次表示されて、留守換気運転モードを表示部に表示させることで留守換気運転モードが選択されるので、留守中の換気運転の設定が簡単に行える上に、選択手段の操作ボタン数を削減することができる。
【００２９】
また、一実施形態の空気調和機によれば、上記切タイマ設定変更手段により切タイマの計時時間が変更された後に留守換気運転モードによる換気運転が終了すると、次回の留守換気運転モードが選択されたときは、切タイマの計時時間が前回変更された計時時間で換気運転が行われるので、操作性がさらに向上する。
【発明を実施するための最良の形態】
【００３０】
以下、この発明の空気調和機を図示の実施の形態により詳細に説明する。
【００３１】
図１はこの発明の実施の一形態の空気調和機の要部のブロック図であり、１は制御装置、２は上記制御装置１に指令信号を送信する送信部２aを有する選択手段の一例としてのリモートコントローラ、３は換気ファン用モータ、４は上記換気ファン用モータ３により駆動される換気ファンである。
【００３２】
上記制御装置１は、マイクロコンピュータと入出力回路等からなり、リモートコントローラ２の送信部２aからの赤外線による指令信号を受信する受信部１aと、設定された計時時間後に換気運転を終了させるための切タイマ１bと、その切タイマ１bの計時時間の設定を変更する切タイマ設定変更手段１cとを備えている。上記受信部１aにより受信された指令信号に基づいて、制御装置１は、換気ファン用モータ３などを制御する。
【００３３】
また、図２は上記空気調和機の室外ユニットと室内ユニットの模式図を示しており、この空気調和機は、室外ユニット１０と、上記室外ユニット１０の上側に配置された換気ユニット１１と、壁面３０に取り付けられた室内ユニット１３とを備えている。上記換気ユニット１１と室内ユニット１３を換気ダクト１２を介して接続している。上記制御装置１(図１に示す)は、図示しないが、室外ユニット１０側の部分と室内ユニット１３の部分(例えば受信部１)に分かれて配置されており、それ以外に、室外ユニット１０には圧縮機(図示せず)などが配置され、室内ユニット１３には室内ファン１４などが配置されている。
【００３４】
また、図３は上記リモートコントローラ２の正面図を示しており、図３において、２０は本体、２１は上記本体２０の上側に設けられた表示部、２２は上記本体２０の下側に設けられた操作カバー、２３は運転／停止用の押ボタン、２４は冷房用の押ボタン、２５は暖房用の押ボタン、２６は「加湿」用の押ボタン、２７は「除湿」用の押ボタン、２８は温度設定用ボタン、２９は湿度設定用ボタンである。図３の表示部２１では、加湿暖房運転時の表示の一例を示している。
【００３５】
また、図４は上記リモートコントローラ２の操作カバー２２を開いた状態の正面図を示しており、図４において、３１は「風量」用の押ボタン、３２は「風向上下」用の押ボタン、３３は「風向左右」用の押ボタン、３４は「下吹き」用の押ボタン、３５は「ゆらぎ」用の押ボタン、３６は「ハイパワー」用の押ボタン、３７は「設定切換」用の押ボタン、３８は切タイマ１bの「切設定」用の押ボタン、３９は入タイマの「入設定」用の押ボタンである。また、４１は各タイマの設定時間を変更する「すすむ」「もどる」用の押ボタン、４２は「取消」用の押ボタン、４３は「ハウスキープ」用の押ボタンである。
【００３６】
図５は上記空気調和機の制御装置の留守換気運転処理を説明するためのフローチャートを示しており、以下、図５に従って制御装置１の動作を説明する。
【００３７】
まず、留守換気運転処理がスタートすると、ステップＳ１で留守換気運転のボタン(「ハウスキープ」用の押ボタン４３)を押したか否かを判断して、ボタンを押したと判断すると、ステップＳ２に進む一方、ボタンを押していないと判断すると、このステップＳ１を繰り返す。
【００３８】
次に、ステップＳ２では、留守換気運転モードおよび切タイマ１bの設定を行い、換気運転と切タイマ１bの計時を開始する。
【００３９】
そして、ステップＳ３に進み、切タイマ１bのボタンを押したか否かを判断して、切タイマ１bのボタンを押したと判断すると、ステップＳ４に進む一方、切タイマ１bのボタンを押していないと判断すると、ステップＳ４をスキップする。
【００４０】
次に、ステップＳ４では、切タイマ１bの設定変更を切タイマ設定変更手段１cにより行う。この切タイマ設定変更手段１cは、図４に示す「切設定」用の押ボタン３８と「すすむ」「もどる」用の押ボタン４１を用いて、切タイマ１bの計時時間の設定を変更する。
【００４１】
次に、ステップＳ５に進み、切タイマ１bの計時終了か否かを判断して、切タイマ１bの計時が終了していると判断すると、ステップＳ６に進み一方、切タイマ１bの計時が終了していないと判断すると、ステップＳ３に戻り、ステップＳ３〜Ｓ１５を繰り返す。
【００４２】
そして、ステップＳ６で運転を停止し、留守換気運転モードの設定なしとして、ステップＳ１に戻る。
【００４３】
このようにして、上記空気調和機では、留守換気運転処理によって、留守換気運転モードになると、換気ユニット１１(図２に示す)の換気ファン４により室外空気が換気ダクト１２を介して室内ユニット１３内の吹出口１２aから吹き出し、さらに室内ファン１４により室内に吹き出す。
【００４４】
また、図６は上記リモートコントローラ２の留守換気運転の操作を説明するための操作ボタンを示しており、図６(a)はこの実施の形態におけるリモートコントローラ２の操作部の「ハウスキープ」用の押ボタン４３である。この「ハウスキープ」用の押ボタン４３の1つの操作で、留守換気運転モードが選択され、留守換気運転モードによる換気運転を開始すると共に、切タイマ１bに計時時間を設定して切タイマ１bの計時をスタートさせる。
【００４５】
なお、図６(b)に示すように、1つのボタンの操作により、「ラウンドリー」、「結露防止」、「留守換気」を表示部２１(図３に示す)に巡回しながら順次表示し、「留守換気」を表示部２１に表示させることで、留守換気運転モードが選択されるようにしてもよい。この場合、リモートコントローラの操作部のボタン数を削減できると共に、リモートコントローラの操作部に対する１回目の操作では、「留守換気」が最初に表示されるようにすることによって、操作性が向上する。また、前回操作で選択された運転モードが最初に表示部に表示されるようにすることで操作性が向上する。
【００４６】
このように、上記構成の空気調和機によれば、リモートコントローラ２の操作部(「ハウスキープ」用の押ボタン４３)に対する１つの操作により、制御装置１は、留守換気運転モードの設定と切タイマ１bの計時時間の設定を行い、換気ファン４による換気運転と切タイマ１bの計時を開始し、その後、切タイマ１bが計時を終了すると、換気ファン用モータ３を停止して換気運転を止める。したがって、複数の操作をすることなく、留守換気運転モードを選択することにより留守中の換気運転を簡単に設定できる操作性の良好な空気調和機を実現することができる。
【００４７】
また、手元のリモートコントローラ２の操作部に対する１つの操作により、留守換気運転モードを選択できるので、必要なときにすぐに換気運転を行うことができる。
【００４８】
また、上記留守換気運転モードは、換気音を気にする必要のない不在時に行うので、換気ファン４の風量を通常の換気運転よりも多くすることができ、効果的な換気ができる。
【００４９】
また、上記留守換気運転モードによる換気運転を終了したときに留守換気運転モードの設定を解除し、この留守換気運転モードによる換気運転の前の運転モードまたは自動運転モードに設定することによって、次回に運転を開始したときに使用者が通常希望する運転モード(留守換気運転モードによる換気運転の前の運転モードまたは自動運転モード)で運転を再開するので、操作性をより一層向上できる。
【００５０】
また、上記切タイマ設定変更手段１cにより切タイマ１bの計時時間が変更された留守換気運転モードの運転が終了すると、次回の留守換気運転モードが選択されたときの切タイマ１bの計時時間が前回変更された計時時間となることによって、使用者が通常希望する前の条件で留守換気運転モードが選択されるので、操作性がさらに向上する。
【００５１】
上記実施の形態では、室外ユニット１０上に載置された換気ユニット１１の換気ファン１１により室外の空気を室内に給気したが、換気ファンにより室内空気を室外に排出することにより換気してもよい。また、換気ファン１１により室外の空気を室内に給気するかまたは室内空気を室外に排出するかを切り換えるダンパーを換気ユニットに備えて、室内と室外の温度および湿度などの状況に応じて給気にするか排気にするかを制御装置で判断して換気を行ってもよい。
【００５２】
また、上記実施の形態では、リモートコントローラ２の「ハウスキープ」用の押ボタン４３の1つの操作で留守換気運転モードが選択されたが、留守換気運転モードを選択する操作部はこれに限定されるものではなく、操作部の形状や操作方法は適宜採用すればよい。また、留守換気運転モードの選択は、留守したときに限らず、この運転モードを在室中に行ってもよいのは勿論である。
【００５３】
また、上記実施の形態では、換気ファン４を備えた換気ユニット１１を備えた空気調和機について説明したが、例えば室外ユニット上に載置された加湿ユニットの加湿ファンを流用して、加湿ユニットと室内ユニットを接続する加湿ダクトを介して室外空気を室内に給気するかまたは室内空気を室外に排出することにより換気を行う空気調和機にこの発明を適用してもよい。
【００５４】
また、上記実施の形態では、選択手段としてリモートコントローラを用いたが、選択手段はこれに限らず、本体側に設けられた操作部などであってもよく、空気調和機の構成に応じた操作部に適宜適用すればよい。
【図面の簡単な説明】
【００５５】
【図１】図１はこの発明の実施の一形態の空気調和機のブロック図である。
【図２】図２は上記空気調和機の室外ユニットと室内ユニットの模式図である。
【図３】図３は上記空気調和機のリモートコントローラの正面図である。
【図４】図４は上記リモートコントローラの操作カバーを開いた状態の正面図である。
【図５】図５は上記空気調和機の制御装置の留守換気運転処理を説明するためのフローチャートである。
【図６】図６は上記リモートコントローラの留守換気運転の操作を説明するための図である。
【図７】図７は従来の空気調和機の換気運転処理を説明するためのフローチャートである。
【符号の説明】
【００５６】
１…制御装置、
１a…受信部、
１b…切タイマ、
１c…切タイマ設定変更手段、
２…リモートコントローラ、
２a…送信部、
３…換気ファン用モータ、
４…換気ファン、
１０…室外機、
１１…換気ユニット、
１２…換気ダクト、
１３…室内機、
１４…室内ファン、
２１…表示部、
４３…「ハウスキープ」用の押ボタン。
【図１】
2005061665.tif 000003
【図２】
2005061665.tif 000004
【図５】
2005061665.tif 000005
【図６】
2005061665.tif 000006
【図７】
2005061665.tif 000007
【図３】
2005061665.tif 000008
【図４】
2005061665.tif 000009
【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
少なくとも換気ファン(４)により換気運転を行う空気調和機であって、
上記換気ファン(４)を駆動する換気ファン用モータ(３)と、
上記換気ファン用モータ(３)を制御すると共に、上記換気ファン(４)による換気運転を設定された計時時間後に終了させるための切タイマ(１b)を有する制御装置(１)と、
１つの操作により、留守換気運転モードを選択する選択手段とを備え、
上記選択手段に対する１つの操作により上記留守換気運転モードが選択されると、上記制御装置(１)は、上記換気ファン用モータ(３)を制御することにより上記換気ファン(４)による換気運転を開始すると共に、上記切タイマ(１b)の計時を開始することを特徴とする空気調和機。
【請求項２】
請求項１に記載の空気調和機において、
上記選択手段は、操作部に対する１つの操作により、上記留守換気運転モードの設定と上記切タイマ(１b)の計時時間の設定を指令する指令信号を出力するリモートコントローラ(２)であり、
上記リモートコントローラ(２)からの上記指令信号を受けた上記制御装置(１)は、上記留守換気運転モードに運転モードを設定し、上記切タイマ(１b)に計時時間を設定して、上記換気ファン(４)による換気運転および上記切タイマ(１b)の計時を開始することを特徴とする空気調和機。
【請求項３】
請求項１または２に記載の空気調和機において、
上記留守換気運転モードのときに、上記換気ファン(４)の風量を通常の換気運転よりも多くすることを特徴とする空気調和機。
【請求項４】
請求項１乃至３のいずれか１つに記載の空気調和機において、
上記留守換気運転モードによる換気運転を開始した後に上記切タイマ(１b)の計時が終了すると、上記制御装置(１)は、換気運転を終了して上記留守換気運転モードの設定を解除し、上記留守換気運転モードによる換気運転の前の運転モードまたは自動運転モードに設定することを特徴とする空気調和機。
【請求項５】
請求項１乃至４のいずれか１つに記載の空気調和機において、
上記選択手段に対して操作する毎に、上記留守換気運転モードと他の運転モードを巡回させながら順次表示する表示部(２１)を備え、
上記選択手段に対する１回目の操作により上記留守換気運転モードを上記表示部(２１)に表示させることで上記留守換気運転モードが選択されることを特徴とする空気調和機。
【請求項６】
請求項１乃至５のいずれか１つに記載の空気調和機において、
上記制御装置(１)は、上記切タイマ(１b)の計時時間の設定を変更する切タイマ設定変更手段(１c)を有し、
上記切タイマ設定変更手段(１c)により変更された上記切タイマ(１b)の計時時間は、次回の上記留守換気運転モードが選択されたときの上記切タイマ(１b)の計時時間となることを特徴とする空気調和機。
【請求項７】
請求項１乃至６のいずれか１つに記載の空気調和機において、
上記選択手段は、１つの操作により上記留守換気運転モードを選択するための第１のボタンと、通常換気運転モードを選択するための第２のボタンとを有することを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、換気機能を有する空気調和機に関する。
【背景技術】
【０００２】
従来、空気調和機としては、換気用送風手段が組み込まれた室外機とその室外機にダクトを介して接続された室内機とを備え、換気用送風手段によって室内の空気を室内機とダクトを介して室外に排出して換気を行うものがある(例えば、特開２０００−２０５５９３号公報(特許文献１)参照)。このような換気を行う空気調和機の一般的な換気運転処理を説明するためのフローチャートを図７に示している。
【０００３】
図７に示す換気運転処理では、まず、ステップＳ１１で換気のボタンを押したか否かを判断して、換気のボタンを押したと判断すると、ステップＳ１２に進む一方、換気のボタンを押していないと判断すると、このステップＳ１１を繰り返す。
【０００４】
次に、ステップＳ１２では、換気運転モードを行う。
【０００５】
そして、ステップＳ１３に進み、切タイマのボタンを押したか否かを判断して、切タイマのボタンを押したと判断すると、ステップＳ１４に進む一方、切タイマのボタンを押していないと判断すると、ステップＳ１４をスキップする。
【０００６】
次に、ステップＳ１４では、切タイマの設定変更を行う。
【０００７】
次に、ステップＳ１５に進み、切タイマの計時終了か否かを判断して、切タイマが計時終了していると判断すると、ステップＳ１６に進み一方、切タイマが計時終了していないと判断すると、ステップＳ１３に戻り、ステップＳ１３〜Ｓ１５を繰り返す。
【０００８】
そして、ステップＳ１６で運転を停止して、ステップＳ１１に戻る。
【０００９】
このように、上記空気調和機では、換気ボタンの操作と切タイマの設定操作を行うことによって、換気運転が所定時間行われる。
【００１０】
しかしながら、上記空気調和機では、外出などの不在時にハウスキープの目的で一定時間だけ換気をしたいときは、換気設定の操作と切タイマの設定操作の両方が必要なために操作性が悪いという欠点がある。また、上記空気調和機では、換気運転が所定時間行われて停止した状態では、運転モードの設定が換気運転に設定されたまま維持されるため、次に運転開始したときに、運転モードの設定が換気運転となったまま運転開始することになり、使用者が通常希望する冷房運転または暖房運転とは違うため、運転モードの設定を変更しなければならないという煩わしさがある。
【特許文献１】特開２０００−２０５５９３号公報
【発明の開示】
【発明が解決しようとする課題】
【００１１】
そこで、この発明の目的は、複数の操作をすることなく、留守換気運転モードを選択することにより留守中の換気運転を簡単に設定できる操作性の良好な空気調和機を提供することにある。
【課題を解決するための手段】
【００１２】
上記目的を達成するため、この発明の空気調和機は、少なくとも換気ファンにより換気運転を行う空気調和機であって、上記換気ファンを駆動する換気ファン用モータと、上記換気ファン用モータを制御すると共に、上記換気ファンによる換気運転を設定された計時時間後に終了させるための切タイマを有する制御装置と、１つの操作により、留守換気運転モードを選択する選択手段とを備え、上記選択手段に対する１つの操作により上記留守換気運転モードが選択されると、上記制御装置は、上記換気ファン用モータを制御することにより上記換気ファンによる換気運転を開始すると共に、上記切タイマの計時を開始することを特徴とする。
【００１３】
上記構成の空気調和機によれば、上記選択手段に対する１つの操作により、留守換気運転モードを設定すると、上記制御装置は、留守換気運転モードにより換気ファン用モータを制御することにより換気ファンによる換気運転を開始すると共に切タイマの計時を開始する。そうして、次に切タイマが計時を終了すると、換気ファン用モータを停止して、換気運転を止める。したがって、複数の操作をすることなく、留守換気運転モードを選択することにより留守中の換気運転を簡単に設定できる。
【００１４】
また、一実施形態の空気調和機は、上記選択手段は、操作部に対する１つの操作により、上記留守換気運転モードの設定と上記切タイマの計時時間の設定を指令する指令信号を出力するリモートコントローラであり、上記リモートコントローラからの上記指令信号を受けた上記制御装置は、上記留守換気運転モードに運転モードを設定し、上記切タイマに計時時間を設定して、上記換気ファンによる換気運転および上記切タイマの計時を開始することを特徴とする。
【００１５】
上記実施形態の空気調和機によれば、手元のリモートコントローラの操作部に対する１つの操作により、留守換気運転モードを選択できるので、必要なときにすぐに換気運転を行うことができる。
【００１６】
また、一実施形態の空気調和機は、上記留守換気運転モードのときに、上記換気ファンの風量を通常の換気運転よりも多くすることを特徴とする。
【００１７】
上記実施形態の空気調和機によれば、換気音を気にする必要のない不在時に行う留守換気運転モードでは、大きな換気量を設定することが可能であり、換気ファンの風量を在室中に行う換気運転よりも多くすることによって、効果的な換気ができる。
【００１８】
また、一実施形態の空気調和機は、上記留守換気運転モードによる換気運転を開始した後に上記切タイマの計時が終了すると、上記制御装置は、換気運転を終了して上記留守換気運転モードの設定を解除し、上記留守換気運転モードによる換気運転の前の運転モードまたは自動運転モードに設定することを特徴とする。
【００１９】
上記実施形態の空気調和機によれば、上記切タイマの計時が終了すると、制御装置は、留守換気運転モードによる換気運転を終了して留守換気運転モードの設定を解除し、上記留守換気運転モードによる換気運転の前の運転モードまたは自動運転モードに設定することによって、次に運転開始したときに使用者が帰宅したときに通常希望する運転モード(留守換気運転モードによる換気運転の前の運転モードまたは自動運転モード)で運転を再開するので、操作性をより一層向上できる。
【００２０】
また、一実施形態の空気調和機は、上記選択手段に対して操作する毎に、上記留守換気運転モードと他の運転モードを巡回させながら順次表示する表示部を備え、上記選択手段に対する１回目の操作により上記留守換気運転モードを上記表示部に表示させることで上記留守換気運転モードが選択されることを特徴とする。
【００２１】
上記実施形態の空気調和機によれば、上記選択手段を操作する毎に上記留守換気運転モードと他の運転モードが巡回しながら表示部に順次表示されて、上記選択手段に対する１回目の操作により留守換気運転モードを表示部に表示させることで留守換気運転モードが選択されるので、留守中の換気運転の設定が簡単に行える上に、留守換気運転モードとそれ以外の複数の運転モードを１つの操作部の例えば押ボタンにより選択することができ、選択手段の操作ボタン数を削減できる。
【００２２】
また、一実施形態の空気調和機は、上記制御装置は、上記切タイマの計時時間の設定を変更する切タイマ設定変更手段を有し、上記切タイマ設定変更手段により変更された上記切タイマの計時時間は、次回の上記留守換気運転モードが選択されたときの上記切タイマの計時時間となることを特徴とする。
【００２３】
上記実施形態の空気調和機によれば、上記切タイマ設定変更手段により切タイマの計時時間が変更された後、上記留守換気運転モードによる換気運転が終了すると、次回の上記留守換気運転モードが選択されたときの切タイマの計時時間が前回変更された計時時間となることによって、使用者が通常希望する前の条件で留守換気運転モードが選択されるので、操作性がさらに向上する。
【００２４】
また、一実施形態の空気調和機は、上記選択手段は、１つの操作により上記留守換気運転モードを選択するための第１のボタンと、通常換気運転モードを選択するための第２のボタンとを有することを特徴とする。
【発明の効果】
【００２５】
以上より明らかなように、この発明の空気調和機によれば、複数の操作をすることなく、留守換気運転モードを選択することにより留守中の換気運転を簡単に設定できる操作性の良好な空気調和機を実現することができる。
【００２６】
また、一実施形態の空気調和機によれば、上記選択手段にリモートコントローラを用いることによって、手元のリモートコントローラの操作部に対する１つの操作により、留守換気運転モードを選択できるので、必要なときにすぐに換気運転を行うことができる。
【００２７】
また、一実施形態の空気調和機によれば、換気音を気にする必要のない不在時の留守換気運転モードでは、大きな換気量で換気運転することで効果的な換気を行うことができる。
【００２８】
また、一実施形態の空気調和機によれば、上記留守換気運転モードによる換気運転を終了して留守換気運転モードの設定を解除し、その換気運転の前の運転モード(または自動運転モード)に設定することによって、次に運転開始したときに使用者が帰宅時に通常希望する運転モードで運転を再開するができ、操作性をより一層向上できる。
【００２９】
また、一実施形態の空気調和機によれば、上記選択手段を操作する毎に留守換気運転モードと他の運転モードが巡回しながら表示部に順次表示されて、留守換気運転モードを表示部に表示させることで留守換気運転モードが選択されるので、留守中の換気運転の設定が簡単に行える上に、選択手段の操作ボタン数を削減することができる。
【００３０】
また、一実施形態の空気調和機によれば、上記切タイマ設定変更手段により切タイマの計時時間が変更された後に留守換気運転モードによる換気運転が終了すると、次回の留守換気運転モードが選択されたときは、切タイマの計時時間が前回変更された計時時間で換気運転が行われるので、操作性がさらに向上する。
【発明を実施するための最良の形態】
【００３１】
以下、この発明の空気調和機を図示の実施の形態により詳細に説明する。
【００３２】
図１はこの発明の実施の一形態の空気調和機の要部のブロック図であり、１は制御装置、２は上記制御装置１に指令信号を送信する送信部２aを有する選択手段の一例としてのリモートコントローラ、３は換気ファン用モータ、４は上記換気ファン用モータ３により駆動される換気ファンである。
【００３３】
上記制御装置１は、マイクロコンピュータと入出力回路等からなり、リモートコントローラ２の送信部２aからの赤外線による指令信号を受信する受信部１aと、設定された計時時間後に換気運転を終了させるための切タイマ１bと、その切タイマ１bの計時時間の設定を変更する切タイマ設定変更手段１cとを備えている。上記受信部１aにより受信された指令信号に基づいて、制御装置１は、換気ファン用モータ３などを制御する。
【００３４】
また、図２は上記空気調和機の室外ユニットと室内ユニットの模式図を示しており、この空気調和機は、室外ユニット１０と、上記室外ユニット１０の上側に配置された換気ユニット１１と、壁面３０に取り付けられた室内ユニット１３とを備えている。上記換気ユニット１１と室内ユニット１３を換気ダクト１２を介して接続している。上記制御装置１(図１に示す)は、図示しないが、室外ユニット１０側の部分と室内ユニット１３の部分(例えば受信部１)に分かれて配置されており、それ以外に、室外ユニット１０には圧縮機(図示せず)などが配置され、室内ユニット１３には室内ファン１４などが配置されている。
【００３５】
また、図３は上記リモートコントローラ２の正面図を示しており、図３において、２０は本体、２１は上記本体２０の上側に設けられた表示部、２２は上記本体２０の下側に設けられた操作カバー、２３は運転／停止用の押ボタン、２４は冷房用の押ボタン、２５は暖房用の押ボタン、２６は「加湿」用の押ボタン、２７は「除湿」用の押ボタン、２８は温度設定用ボタン、２９は湿度設定用ボタンである。図３の表示部２１では、加湿暖房運転時の表示の一例を示している。
【００３６】
また、図４は上記リモートコントローラ２の操作カバー２２を開いた状態の正面図を示しており、図４において、３１は「風量」用の押ボタン、３２は「風向上下」用の押ボタン、３３は「風向左右」用の押ボタン、３４は「下吹き」用の押ボタン、３５は「ゆらぎ」用の押ボタン、３６は「ハイパワー」用の押ボタン、３７は「設定切換」用の押ボタン、３８は切タイマ１bの「切設定」用の押ボタン、３９は入タイマの「入設定」用の押ボタンである。また、４１は各タイマの設定時間を変更する「すすむ」「もどる」用の押ボタン、４２は「取消」用の押ボタン、４３は「ハウスキープ」用の押ボタンである。
【００３７】
図５は上記空気調和機の制御装置の留守換気運転処理を説明するためのフローチャートを示しており、以下、図５に従って制御装置１の動作を説明する。
【００３８】
まず、留守換気運転処理がスタートすると、ステップＳ１で留守換気運転のボタン(「ハウスキープ」用の押ボタン４３)を押したか否かを判断して、ボタンを押したと判断すると、ステップＳ２に進む一方、ボタンを押していないと判断すると、このステップＳ１を繰り返す。
【００３９】
次に、ステップＳ２では、留守換気運転モードおよび切タイマ１bの設定を行い、換気運転と切タイマ１bの計時を開始する。
【００４０】
そして、ステップＳ３に進み、切タイマ１bのボタンを押したか否かを判断して、切タイマ１bのボタンを押したと判断すると、ステップＳ４に進む一方、切タイマ１bのボタンを押していないと判断すると、ステップＳ４をスキップする。
【００４１】
次に、ステップＳ４では、切タイマ１bの設定変更を切タイマ設定変更手段１cにより行う。この切タイマ設定変更手段１cは、図４に示す「切設定」用の押ボタン３８と「すすむ」「もどる」用の押ボタン４１を用いて、切タイマ１bの計時時間の設定を変更する。
【００４２】
次に、ステップＳ５に進み、切タイマ１bの計時終了か否かを判断して、切タイマ１bの計時が終了していると判断すると、ステップＳ６に進み一方、切タイマ１bの計時が終了していないと判断すると、ステップＳ３に戻り、ステップＳ３〜Ｓ１５を繰り返す。
【００４３】
そして、ステップＳ６で運転を停止し、留守換気運転モードの設定なしとして、ステップＳ１に戻る。
【００４４】
このようにして、上記空気調和機では、留守換気運転処理によって、留守換気運転モードになると、換気ユニット１１(図２に示す)の換気ファン４により室外空気が換気ダクト１２を介して室内ユニット１３内の吹出口１２aから吹き出し、さらに室内ファン１４により室内に吹き出す。
【００４５】
また、図６は上記リモートコントローラ２の留守換気運転の操作を説明するための操作ボタンを示しており、図６(a)はこの実施の形態におけるリモートコントローラ２の操作部の「ハウスキープ」用の押ボタン４３である。この「ハウスキープ」用の押ボタン４３の1つの操作で、留守換気運転モードが選択され、留守換気運転モードによる換気運転を開始すると共に、切タイマ１bに計時時間を設定して切タイマ１bの計時をスタートさせる。
【００４６】
なお、図６(b)に示すように、1つのボタンの操作により、「ラウンドリー」、「結露防止」、「留守換気」を表示部２１(図３に示す)に巡回しながら順次表示し、「留守換気」を表示部２１に表示させることで、留守換気運転モードが選択されるようにしてもよい。この場合、リモートコントローラの操作部のボタン数を削減できると共に、リモートコントローラの操作部に対する１回目の操作では、「留守換気」が最初に表示されるようにすることによって、操作性が向上する。また、前回操作で選択された運転モードが最初に表示部に表示されるようにすることで操作性が向上する。
【００４７】
このように、上記構成の空気調和機によれば、リモートコントローラ２の操作部(「ハウスキープ」用の押ボタン４３)に対する１つの操作により、制御装置１は、留守換気運転モードの設定と切タイマ１bの計時時間の設定を行い、換気ファン４による換気運転と切タイマ１bの計時を開始し、その後、切タイマ１bが計時を終了すると、換気ファン用モータ３を停止して換気運転を止める。したがって、複数の操作をすることなく、留守換気運転モードを選択することにより留守中の換気運転を簡単に設定できる操作性の良好な空気調和機を実現することができる。
【００４８】
また、手元のリモートコントローラ２の操作部に対する１つの操作により、留守換気運転モードを選択できるので、必要なときにすぐに換気運転を行うことができる。
【００４９】
また、上記留守換気運転モードは、換気音を気にする必要のない不在時に行うので、換気ファン４の風量を通常の換気運転よりも多くすることができ、効果的な換気ができる。
【００５０】
また、上記留守換気運転モードによる換気運転を終了したときに留守換気運転モードの設定を解除し、この留守換気運転モードによる換気運転の前の運転モードまたは自動運転モードに設定することによって、次回に運転を開始したときに使用者が通常希望する運転モード(留守換気運転モードによる換気運転の前の運転モードまたは自動運転モード)で運転を再開するので、操作性をより一層向上できる。
【００５１】
また、上記切タイマ設定変更手段１cにより切タイマ１bの計時時間が変更された留守換気運転モードの運転が終了すると、次回の留守換気運転モードが選択されたときの切タイマ１bの計時時間が前回変更された計時時間となることによって、使用者が通常希望する前の条件で留守換気運転モードが選択されるので、操作性がさらに向上する。
【００５２】
上記実施の形態では、室外ユニット１０上に載置された換気ユニット１１の換気ファン１１により室外の空気を室内に給気したが、換気ファンにより室内空気を室外に排出することにより換気してもよい。また、換気ファン１１により室外の空気を室内に給気するかまたは室内空気を室外に排出するかを切り換えるダンパーを換気ユニットに備えて、室内と室外の温度および湿度などの状況に応じて給気にするか排気にするかを制御装置で判断して換気を行ってもよい。
【００５３】
また、上記実施の形態では、リモートコントローラ２の「ハウスキープ」用の押ボタン４３の1つの操作で留守換気運転モードが選択されたが、留守換気運転モードを選択する操作部はこれに限定されるものではなく、操作部の形状や操作方法は適宜採用すればよい。また、留守換気運転モードの選択は、留守したときに限らず、この運転モードを在室中に行ってもよいのは勿論である。
【００５４】
また、上記実施の形態では、換気ファン４を備えた換気ユニット１１を備えた空気調和機について説明したが、例えば室外ユニット上に載置された加湿ユニットの加湿ファンを流用して、加湿ユニットと室内ユニットを接続する加湿ダクトを介して室外空気を室内に給気するかまたは室内空気を室外に排出することにより換気を行う空気調和機にこの発明を適用してもよい。
【００５５】
また、上記実施の形態では、選択手段としてリモートコントローラを用いたが、選択手段はこれに限らず、本体側に設けられた操作部などであってもよく、空気調和機の構成に応じた操作部に適宜適用すればよい。
【図面の簡単な説明】
【００５６】
【図１】図１はこの発明の実施の一形態の空気調和機のブロック図である。
【図２】図２は上記空気調和機の室外ユニットと室内ユニットの模式図である。
【図３】図３は上記空気調和機のリモートコントローラの正面図である。
【図４】図４は上記リモートコントローラの操作カバーを開いた状態の正面図である。
【図５】図５は上記空気調和機の制御装置の留守換気運転処理を説明するためのフローチャートである。
【図６】図６は上記リモートコントローラの留守換気運転の操作を説明するための図である。
【図７】図７は従来の空気調和機の換気運転処理を説明するためのフローチャートである。
【符号の説明】
【００５７】
１…制御装置、
１a…受信部、
１b…切タイマ、
１c…切タイマ設定変更手段、
２…リモートコントローラ、
２a…送信部、
３…換気ファン用モータ、
４…換気ファン、
１０…室外機、
１１…換気ユニット、
１２…換気ダクト、
１３…室内機、
１４…室内ファン、
２１…表示部、
４３…「ハウスキープ」用の押ボタン。